(57)【要約】【課題】スタッキングおよびネスティングが可能なプラスチック製の容器であって、容器側壁の上部に余裕をもってカード差しを設けることができるようにするとともに、ネスティング時でもカードが見られるようにする。【解決手段】側壁にポケット部３ａ，３ｂ，５ａ，５ｂを形成することにより下段の容器Ａに対し上段の容器をスタッキングおよびネスティング可能に積み重ねられるものであって、該ポケット部の底壁の下側に容器外側面に開口する横長孔状の取付孔１０ａ，１０ｂを形成するとともに、カード差し本体１３の下部に略直交状に折れ曲がる挿入片１４を一体に形成し、該挿入片を前記取付孔に嵌合することにより、該カード差し本体をポケット部の外側面に弾接させる。【選択図】図１
2005343514.tif 000002
【特許請求の範囲】
【請求項１】
側壁にポケット部を形成することにより下段の容器に対し上段の容器をスタッキングおよびネスティング可能に積み重ねられるものであって、該ポケット部の外側面にカード差し本体を弾接させていることを特徴としたスタッキングおよびネスティングが可能な容器のカード差し取付構造。
【請求項２】
側壁にポケット部を形成することにより下段の容器に対し上段の容器をスタッキングおよびネスティング可能に積み重ねられるものであって、該ポケット部の底壁の下側に容器外側面に開口する横長孔状の取付孔を形成するとともに、カード差し本体の下部に略直交状に折れ曲がる挿入片を一体に形成し、該挿入片を前記取付孔に嵌合することにより、該カード差し本体をポケット部の外側面に弾接させてなることを特徴としたスタッキングおよびネスティングが可能な容器のカード差し取付構造。
【請求項３】
取付孔の奥部に挿入片が係合する係合部を形成した請求項２に記載のスタッキングおよびネスティングが可能な容器のカード差し取付構造。
【請求項４】
ポケット部は容器の側壁に所定間隔を離して対に形成されたものであり、該各ポケット部の底壁の下側に取付孔を形成し、該取付孔に夫々挿入片を嵌合することによりカード差し本体を該各ポケット部の外側面に弾接させてなるものである請求項１〜３のいずれかに記載のスタッキングおよびネスティングが可能な容器のカード差し取付構造。
【請求項５】
容器の側壁に対に形成されたポケット部の両底壁の下側に両ポケット部間に亘るフランジを形成し、該フランジと両ポケット部の底壁とで取付孔が形成されるようにした請求項１〜４のいずれかに記載のスタッキングおよびネスティングが可能な容器のカード差し取付構造。
【請求項６】
両ポケット部間に亘る幅寸法のカード差し本体を形成し、該カード差し本体の両端下部に略直交状に折れ曲がる一対の挿入片を一体に形成し、該挿入片を夫々取付孔に嵌合することにより、該カード差し本体を該両ポケット部の外側面に弾接させてなるものである請求項１〜５のいずれかに記載のスタッキングおよびネスティングが可能な容器のカード差し取付構造。
【発明の詳細な説明】
【技術分野】
【０００１】
本発明はスタッキングおよびネスティングが可能なプラスチック製容器におけるカード差し取付構造に関するものである。
【背景技術】
【０００２】
側壁の一部を外方向に膨出させることによりポケット部が形成されたプラスチック製容器であって、下段の容器に対して上段の容器を水平面内で１８０度回転し、或いは回転することなく乗せることにより、容器を多段に積み上げ（スタッキング）られ、或いは、下段の容器内に上段の容器の略下半部が挿入された状態で積み重ね（ネスティング）られ非使用時に減容されるように構成した物流用容器は周知のとおりである。
【０００３】
一方、容器の内容物の名称、製造所、ロット番号等の属性が表示されたカードを該容器の外側面に抜き差し自在に保持できるようにするためのカード差しは、従来から種々の形態のものが知られており、下記特許文献１は、上記のようなスタッキングおよびネスティングが可能なプラスチック製容器に邪魔になることなくこのカード差しを取り付けられるようにする容器の構成が開示されたものである。
【特許文献１】特開平７−２５１８４２号公報
【発明の開示】
【発明が解決しようとする課題】
【０００４】
ところで、上記のようにスタッキングおよびネスティングが可能な容器は、複数のポケット部や支脚が側壁外面に突出状に形成されたものであるので、カード差しを設けるスペースが十分でなく、また、比較的凹凸の少ない容器側壁の下半部にカード差しを設けたのではネスティングの邪魔になるおそれがあるとともに、ネスティング時にカードが隠れてしまうという問題があった。
本発明はこのような問題点を解消し得るカード差し取付構造を提供しようとするものである。
【課題を解決するための手段】
【０００５】
そのために請求項１に記載のカード差し取付構造の発明は、側壁にポケット部を形成することにより下段の容器に対し上段の容器をスタッキングおよびネスティング可能に積み重ねられるものであって、該ポケット部の外側面にカード差し本体を弾接させていることを特徴とする。
【０００６】
また請求項２に記載のカード差し取付構造の発明は、側壁にポケット部を形成することにより下段の容器に対し上段の容器をスタッキングおよびネスティング可能に積み重ねられるものであって、該ポケット部の底壁の下側に容器外側面に開口する横長孔状の取付孔を形成するとともに、カード差し本体の下部に略直交状に折れ曲がる挿入片を一体に形成し、該挿入片を前記取付孔に嵌合することにより、該カード差し本体をポケット部の外側面に弾接させてなることを特徴とする。
このため、容器側壁の上部に余裕をもってカード差しを設けることができ、ネスティング時でもカードが見られるようにできる。
【０００７】
また請求項３に記載の発明は上記カード差し取付構造において、取付孔の奥部に挿入片が係合する係合部を形成したことを特徴とする。
このため、挿入片が抜脱するおそれなくカード差しを確実に取り付けられる。
【０００８】
また、請求項４に記載の発明は、上記カード差し取付構造において、ポケット部は容器の側壁に所定間隔を離して対に形成されたものであり、該各ポケット部の底壁の下側に取付孔を形成し、該取付孔に夫々挿入片を嵌合することによりカード差し本体を該各ポケット部の外側面に弾接させてなるものであることを特徴とする。
このため、両ポケット部の間隔よりも幅のある大きいカードでも両ポケット部の外側面に亘り一対のカード差し本体により確実に挟着保持することができる。
【０００９】
また、請求項５に記載の発明は、上記カード差し取付構造において、容器の側壁に対に形成されたポケット部の両底壁の下側に両ポケット部間に亘るフランジを形成し、該フランジと両ポケット部の底壁とで取付孔が形成されるようにしたことを特徴とする。
フランジによってカードの下側が囲われ風圧等によりカードが外れたりするのを防止する。
【００１０】
また、請求項６に記載の発明は、上記カード差し取付構造において、両ポケット部間に亘る幅寸法のカード差し本体を形成し、該カード差し本体の両端下部に略直交状に折れ曲がる挿入片を一体に形成し、該挿入片を夫々取付孔に嵌合することにより、該カード差し本体を該両ポケット部の外側面に弾接させてなるものであることを特徴とする。
このカード差し本体では、差し込まれたカードの前面を広くカバーすることができ、カードの破損を防止できる。
【発明の効果】
【００１１】
容器側壁の上部に余裕をもってカード差しを設けることができるとともに、差し込まれたカードがネスティング時でも見られる。
【実施例１】
【００１２】
次に本発明の実施例を図面に従い説明する。図１は本発明に係るプラスチック製容器Ａとカード差しＢの斜視図である。該容器Ａは、上端開口縁の全周にフランジ状の上縁１が一体に形成され、一方の長側壁２にはその一部を外方向に膨出させることによりポケット部３ａ，３ｂが所定間隔を離して対に形成され、該長側壁２と相対する長側壁４には該ポケット部３ａ，３ｂと非対称位置なるように一部を外方向に膨出させることによりポケット部５ａ，５ｂが形成され、該各ポケット部は容器Ａの略半分の深さを有している。また、６ａ，６ｂは長側壁２の下半部にポケット部３ａ，３ｂより角側にずらした位置で突出状に形成された支脚で、該支脚６ａ，６ｂは前記ポケット部５ａ，５ｂと点対称位置なるように形成される。また、長側壁４の下半部でポケット部５ａ，５ｂより内側にずらした位置に支脚７ａ，７ｂが突出状に形成され、該支脚７ａ，７ｂはポケット部３ａ，３ｂと点対称位置なるように形成される。なお、８は容器外面に形成された補強用リブである。
【００１３】
しかして、この容器Ａではポケット部３ａ，３ｂの底壁の下側に両ポケット部間に亘るフランジ９を形成するとともに、該フランジ９と両ポケット部の底壁とで容器外側面に開口する横長孔状の取付孔１０ａ，１０ｂを形成する。また、図５に示されるように、該フランジ９を該取付孔の奥部において切り欠くことで係合部１１を形成している。
【００１４】
一方、カード差しＢは、図２，図３にも示したように、ポリプロピレン等の弾力性の高い透明なプラスチックにより略Ｌ形板状に成形されるもので、上端部が少し外向き反った板状のカード差し本体１３の下部に略直交状に折れ曲がる挿入片１４が一体に形成され、該挿入片は両側縁に剛性を高めるためにリブ１５が形成され、該両側縁の内側に先端部より切込１６を形成することによりその中間の板状部１７を弾性状に形成し、該板状部の下面に係合用の爪１８を形成したものである。
【００１５】
そして、図４，図５に示したように、挿入片１４を前記取付孔１０ａ，１０ｂに嵌合することにより、板状部１７の弾性により爪１８が係合部１１に係合し該挿入片１４が抜け止めされるとともに、剛性の高い両側縁によって該挿入片が該取付孔内で真っ直ぐに支持されるので、カード差し本体１３をポケット部３ａ，３ｂの外側面に強力に弾性的に当接させることができる。
【００１６】
このため、カードＣはポケット部３ａ，３ｂの外側面に弾性状のカード差し本体１３によってしっかりと挟着保持することができ、該カードＣの大きさは両ポケット部３ａ，３ｂに亘る幅広のものでも支障なく挟着される。また、保持されたカードＣの下側がフランジ９によって囲われることから、カードＣの裏側に風が吹き込んで風圧によりカードＣがずれたり外れるのが防止されるとともに、容器持ち上げ時にカードＣに手が触れカードＣが破れるようなことが防止される。また、カードＣの上側は該容器の上縁１によって囲われる。
【００１７】
そしてこの容器Ａでは、下段の容器に対して上段の容器を回転させることなく乗せることにより、下段の容器の上縁１上に上段の容器の支脚６ａ，６ｂ，７ａ，７ｂが乗って容器内容物に荷重を掛けることなく多段に積み上げられ（スタッキング）るとともに、下段の容器に対して上段の容器を水平面内で１８０度回転させて乗せることにより、下段の容器のポケット部３ａ，３ｂ内に上段の容器の支脚７ａ，７ｂが収まり、下段の容器のポケット部５ａ，５ｂ内に上段の容器の支脚６ａ，６ｂが収まることで、約半分の高さに積み重ねられ（ネスティング）減容される。このネスティング時においても、上記カード差しＢは邪魔になることなく、またカードＣが上段の容器によって隠れることもなく、カードＣの抜き差しをこのネスティング状態で行うこともできる。このため、カードの利便性を一層向上させる。
【実施例２】
【００１８】
一方、図６に示したカード差しＤは、請求項５に記載の発明の実施例を示すもので、このカード差し本体１３は前記容器Ａの両ポケット部３ａ，３ｂ間に亘る幅寸法を有し、該カード差し本体の両端下部に略直交状に折れ曲がる一対の挿入片１４ａ，１４ｂを形成し、該挿入片を前記取付孔１０ａ，１０ｂに嵌合することにより、該カード差し本体１３を該両ポケット部の外側面に弾接させるものである。なお、該挿入片１４ａ，１４ｂにも前記挿入片１４と同様にリブ１５，切込１６，板状部１７，爪１８等が形成される。この実施例では両ポケット部３ａ，３ｂ間に亘る幅寸法のカード差し本体１３を形成したことにより、差し込まれたカードの前面を広くカバーすることができ、カードの破損をより確実に防止することができる。
【産業上の利用可能性】
【００１９】
なおこれらの実施例は上段の容器を１８０度回転させて乗せることによりネスティングする容器を説明したが、ポケット部の配置次第で上段の容器を１８０度回転させて乗せることによりスタッキングし、回転させることなく乗せることによりネスティングするタイプの周知の容器についても同様にカード差しを取り付けられる構造とすることができる。
【図面の簡単な説明】
【００２０】
【図１】本発明の実施例である容器とカード差しの斜視図。
【図２】本発明の実施例であるカード差しの斜視図。
【図３】本発明の実施例であるカード差しの斜視図。
【図４】本発明の実施例であるカード差しが取り付けられた容器の斜視図。
【図５】本発明の実施例であるカード差しが取り付けられた容器の横断面図。
【図６】本発明の他の実施例であるカード差しの斜視図。
【符号の説明】
【００２１】
Ａ                        容器
Ｂ，Ｄ                    カード差し
Ｃ                        カード
１                        上縁
２，４                    側壁
３ａ，３ｂ，５ａ，５ｂ    ポケット部
６ａ，６ｂ，７ａ，７ｂ    支脚
９                        フランジ
１０ａ，１０ｂ            取付孔
１１                      係合部
１３                      カード差し本体
１４，１４ａ，１４ｂ      挿入片
１８                      爪
【図１】
2005343514.tif 000003
【図２】
2005343514.tif 000004
【図３】
2005343514.tif 000005
【図４】
2005343514.tif 000006
【図５】
2005343514.tif 000007
【図６】
2005343514.tif 000008